(57)【要約】  【課題】作業時の掘削性能又は吊上性能及び走行時の軸重バランスを満たした分割タイプのカウンタウエイトの脱着が簡単にできるホイール式建設機械のカウンタウエイトを提供する。  【解決手段】上部旋回体１５の後部に固定されたロワーカウンタウエイト２５上にアッパーカウンタウエイト２６を上下方向に重ねて配置し、このロワーカウンタウエイト２５とアッパーカウンタウエイト２６との間をボルト３３とナット３４で結合するようにしたホイール式建設機械のカウンタウエイト。【選択図】図３
2006188817.tif 000002
【特許請求の範囲】
【請求項１】
作業時の掘削性能又は吊上性能と走行時の軸重バランスを考慮する必要があるホイール式建設機械のカウンタウエイトにおいて、
該カウンタウエイトを上下に分割してロワーカウンタウエイトを建設機械側に固定し、該ロワーカウンタウエイトの上にアッパーカウンタウエイトを載置する構成としたことを特徴とするホイール式建設機械のカウンタウエイト。
【請求項２】
上記ロワーカウンタウエイトと上記アッパーカウンタウエイトの合わせ面の一方に凸部を設け、他方に該凸部と位置決め係合し合う凹部を設けたことを特徴とする請求項１記載のホイール式建設機械のカウンタウエイト。
【請求項３】
上記ロワーカウンタウエイトと上記アッパーカウンタウエイトとの間を、上下に挿入されるボルトで固定したことを特徴とする請求項１または２記載のホイール式建設機械のカウンタウエイト。
【請求項４】
上記ロワーカウンタウエイトの後部で、かつ、上記アッパーカウンタウエイトと重なり合わない部分に走行用ライトを装着してなることを特徴とする請求項１，２または３記載のホイール式建設機械のカウンタウエイト。
【発明の詳細な説明】
【技術分野】
【０００１】
本発明は、ホイール式建設機械のカウンタウエイトに関するものであり、特に、作業時の掘削性能又は吊上性能と走行時の軸重バランスを考慮する必要があるホイール式油圧ショベル、ホイール式油圧クレーン等のカウンタウエイトに関するものである。
【背景技術】
【０００２】
油圧ショベル等の建設機械において、上部旋回体の前部に掘削等を行うための作業アタッチメントを取り付けるとともに、後部に転倒防止用のカウンタウエイトを搭載し、このカウンタウエイトにより、上部旋回体に設けられた作業アタッチメントとの重量バランスをとることが知られている。また、一般公道を走行するホイール式油圧ショベル等においては、総重量を軽減させると共に軸重バランスをとる必要があり、掘削性能又は吊上性能を確保するのに必要な作業時のカウンタウエイトを取り付けたまま一般公道を走行した場合、総重量が重くなりすぎ、一方、カウンタウエイトを全て取り外すと前輪と後輪の軸重バランスが悪くなるため、通常はカウンタウエイトを分割するか又はカウンタウエイトとは別に下部走行体のトラックフレームにウエイト板を設けて前輪と後輪の軸重バランスをとっている (例えば、特許文献１参照)。また、そのカウンタウエイトの一部を脱着する方法も幾つか知られている(例えば、特許文献２，特許文献３参照)。
【０００３】
図４は、従来の油圧ショベル等の建設機械で使用されているカウンタウエイトの脱着方法の一例を示すものである。図４において、従来のカウンタウエイト５１は、上部旋回体５２の後部に、本体カウンタウエイト５３と増量カウンタウエイト５４とを前後方向に水平に並べて重ね、これに後側から複数のボルト５５，５５…を通して上部旋回体５２に結合させている。
【０００４】
この結合構造では、上下左右の各隅に各々取り付けられる比較的大きなボルト５５を最低でも４本必要とする。また、水平方向の取り付けとなるので、走行用ライト５６の取付位置も、本体カウンタウエイト５３だけで使用されるときと、増量カウンタウエイト５４を取り付けて使用されるときとで交換が必要とされる。すなわち、本体カウンタウエイト５３に取り付けていた走行用ライト５６は、増量カウンタウエイト５４を取り付けると、該増量カウンタウエイト５４で隠されてしまう。従って、増量カウンタウエイト５４の後側への付け替えを必要とする。
【特許文献１】特開２００１−１７１９７８号公報。
【特許文献２】実公平１−８４６９号公報。
【特許文献３】特開２００２−２９４７５６号公報。
【発明の開示】
【発明が解決しようとする課題】
【０００５】
上述したように、従来のカウンタウエイトの脱着構造では、本体カウンタウエイトと増量カウンタウエイトとの結合に、大きなボルトを最低でも４本必要とする。また、水平方向の取り付けとなるので、カウンタウエイト同志の位置決めおよび上部旋回体との位置決めに時間がかかり、作業性が悪いという問題があった。
【０００６】
さらに、カウンタウエイトに取り付けている走行用ライトも、本体カウンタウエイトと増量カウンタウエイトとの間で交換を必要とするので、その都度、配線の結線が必要となり、手間がかかり、漏電の虞もあった。
【０００７】
そこで、作業時の掘削性能又は吊上性能及び走行時の軸重バランスを満たした分割タイプのカウンタウエイトの脱着が簡単にできるホイール式建設機械のカウンタウエイトを提供するために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、作業時の掘削性能又は吊上性能と走行時の軸重バランスを考慮する必要があるホイール式建設機械のカウンタウエイトにおいて、該カウンタウエイトを上下に分割してロワーカウンタウエイトを建設機械側に固定し、該ロワーカウンタウエイトの上にアッパーカウンタウエイトを載置するように構成したホイール式建設機械のカウンタウエイトを提供する。
【０００９】
この構成によれば、走行時はアッパーカウンタウエイトのみを取り外し、ロワーカウンタウエイトは取り外さずに建設機械に取り付けたままで軸重バランスをとることができ、作業時にはロワーカウンタウエイトの上にアッパーカウンタウエイトを載置するだけで掘削性能又は吊上性能を確保することができる。
【００１０】
請求項２記載の発明は請求項１記載の発明において、ロワーカウンタウエイトとアッパーカウンタウエイトの合わせ面の一方に凸部を設け、他方に該凸部と位置決め係合し合う凹部を設けたホイール式建設機械のカウンタウエイトを提供する。
【００１１】
この構成によれば、凸部と凹部とを係合させて、ロワーカウンタウエイトの上にアッパーカウンタウエイトを配置すると、ロワーカウンタウエイトとアッパーカウンタウエイトとの間の位置決めができる。
【００１２】
請求項３記載の発明は請求項１または２記載の発明において、ロワーカウンタウエイトとアッパーカウンタウエイトとの間を、上下に挿入されるボルトで固定したホイール式建設機械のカウンタウエイトを提供する。
【００１３】
この構成によれば、ボルトを垂直方向に挿入させて、ロワーカウンタウエイトとアッパーカウンタウエイトとの間を固定できる。
【００１４】
請求項４記載の発明は請求項１乃至３記載の発明において、ロワーカウンタウエイトの後部で、かつ、アッパーカウンタウエイトと重なり合わない部分に走行用ライトを装着してなるホイール式建設機械のカウンタウエイトを提供する。
【００１５】
この構成によれば、走行用ライトはロワーカウンタウエイトに装着したままの状態で常に使用できる。
【発明の効果】
【００１６】
請求項１記載の発明は、ロワーカウンタウエイトは取り外さずに建設機械に取り付けたままにしておき、ロワーカウンタウエイトの上に載置されるアッパーカウンタウエイトを脱着させるだけで、カウンタウエイトの増量および減量を簡単に行うことができるから、作業の簡略化が図れる。また、アッパーカウンタウエイトは、ロワーカウンタウエイトで下側から支えられて該ロワーカウンタウエイトに取り付けられるので、取付構造も簡単にすることができ、取付部品を減らし、コスト低減に寄与する。
【００１７】
請求項２記載の発明は、ロワーカウンタウエイトの上にアッパーカウンタウエイトを配置すると、凸部と凹部との係合により、ロワーカウンタウエイトとアッパーカウンタウエイトとの間の位置決めが簡単にできるから、請求項１記載の発明の効果に加えて、取付作業が簡単になる。
【００１８】
請求項３記載の発明は、ボルトを垂直方向に挿入させて、ロワーカウンタウエイトとアッパーカウンタウエイトとの間を固定できるから、請求項１または２記載の発明の効果に加えて、さらに取付作業が簡単になる。
【００１９】
請求項４記載の発明は、アッパーカウンタウエイトの脱着に関わりなく、走行用ライトをロワーカウンタウエイトに装着したままの状態で使用できるから、請求項１，２または３記載の発明の効果に加えて、走行用ライトの結線や付け替えの必要もなく、さらに漏電の心配もない等、作業性の向上、および、安全性の向上が図れる。
【発明を実施するための最良の形態】
【００２０】
作業時の掘削性能又は吊上性能及び走行時の軸重バランスを満たした分割タイプのカウンタウエイトの脱着が簡単にできるようにするという目的を、カウンタウエイトを上下に分割してロワーカウンタウエイトを建設機械側に固定し、該ロワーカウンタウエイトの上にアッパーカウンタウエイトを載置することにより実現した。
【実施例１】
【００２１】
以下、本発明に係るホイール式建設機械のカウンタウエイトについて、好適な実施例をあげて説明する。図１はホイール式建設機械の一例として示すホイール式マテハン機の側面図である。ホイール式マテハン機１１は、駆動輪１２，１２を具備した下部走行体１３と、この下部走行体１３の上に上部旋回体１５を、旋回機構１４を介して縦軸廻りに旋回自在に搭載している。
【００２２】
また、上部旋回体１５には、左側寄り前部に取り付けたキャブ１６と、上部旋回体１５の右側寄り前部に上下揺動自在に取り付けた作業アタッチメント１７が設けられている。
【００２３】
作業アタッチメント１７は、ブーム１８、アーム１９、ポリップバケット２０を備えており、ブーム１８はブームシリンダ２１により上部旋回体１５に対して上下方向に揺動される。また、アーム１９はアームシリンダ２２でブーム１８に対して上下方向に揺動され、ポリップバケット２０はバケットシリンダ２３でアーム１９に対して上下方向に回動される。
【００２４】
図２および図３は、上部旋回体１５の後部側の構造を拡大して示している図である。図２および図３から明らかのように、上部旋回体１５の後部側には、カウンタウエイト２４が設けられている。このカウンタウエイト２４は、上部旋回体１５の前部側に設けられた作業アタッチメント１７との重量バランスをとるものであり、重量Ｗ１のロワーカウンタウエイト２５と重量Ｗ２のアッパーカウンタウエイト２６とで構成されている。
【００２５】
ロワーカウンタウエイト２５は、上部旋回体１５の後部で、かつ、下側寄りに位置した状態にして、上部旋回体１５の左右両側にわたって配設され、その上部旋回体１５にボルト２７で固定されている。また、ロワーカウンタウエイト２５には、ロワーカウンタウエイト２５の前後方向におけるほぼ中央で、かつ、左右に離れた２つの位置に、取付孔２８がそれぞれ上下に貫通した状態にして形成されているとともに、上面には各取付孔２８，２８を囲んだ状態にして、縦断面形状が概略台形をした位置決め凸部２９，２９が形成されている。さらに、ロワーカウンタウエイト２５の後面には、一対の走行用ライト３０，３０が左右に分かれて配設されている。この走行用ライト３０，３０は、キャブ１６内に設置された電源スイッチと図示せぬ配線を介して接続され、該電源スイッチを操作することによって、キャブ１６内から点灯・消灯の制御ができるようになっている。
【００２６】
アッパーカウンタウエイト２６は、必要に応じてロワーカウンタウエイト２５上に設置されるものである。そのロワーカウンタウエイト２５の上面と面合わせされるアッパーカウンタウエイト２６の下面には、ロワーカウンタウエイト２５側の位置決め凸部２９，２９と対応している位置に、縦断面の形状がそれぞれ概略台形をした位置決め凹部３１，３１が設けられている。また、位置決め凹部３１，３１の中心には、取付孔２８，２８に対応して、上下に貫通している取付孔３２，３２が形成されている。
【００２７】
次に、作用を説明する。アッパーカウンタウエイト２６を取り付ける場合は、既に上部旋回体１５の後部に取り付けられているロワーカウンタウエイト２５の上に、位置決め凹部３１を位置決め凸部２９に合わせて、アッパーカウンタウエイト２６を載せる。この位置決め凹部３１と位置決め凸部２９との係合により、ロワーカウンタウエイト２５とアッパーカウンタウエイト２６とは互いに位置合わせされ、上下で重なり合う。
【００２８】
続いて、アッパーカウンタウエイト２６の上側から、ボルト３３を取付孔３２と取付孔２８の順に通す。また、ロワーカウンタウエイト２５の下側に突出されたボルト３３の先端にナット３４を締め付け、ロワーカウンタウエイト２５とアッパーカウンタウエイト２６との間を結合する。これにより、アッパーカウンタウエイト２６がロワーカウンタウエイト２５に対して付加され、カウンタウエイト２４の重量は(Ｗ１＋Ｗ２)となる。
【００２９】
逆に、ロワーカウンタウエイト２５からアッパーカウンタウエイト２６を取り外す場合は、ボルト３３とナット３４の結合を解き、ボルト３３を引き抜く。そして、アッパーカウンタウエイト２６を持ち上げると、ロワーカウンタウエイト２５からアッパーカウンタウエイト２６を取り外すことができ、カウンタウエイト２４の重量は(Ｗ１)となる。
【００３０】
従って、本実施の形態における構成では、ロワーカウンタウエイト２５は上部旋回体１５から取り外さずに取り付けたままにしておき、ロワーカウンタウエイト２５の上に載置されるアッパーカウンタウエイト２６を脱着させるだけで、カウンタウエイト２４の増量および減量を簡単に行うことができる。これにより、作業の簡略化が図れる。また、アッパーカウンタウエイト２６は下側からロワーカウンタウエイト２５に支えられて、該ロワーカウンタウエイト２５に取り付けられるので、取付構造も簡単になり、取付部品が減り、コスト低減に寄与する。
【００３１】
さらに、ロワーカウンタウエイト２５の上にアッパーカウンタウエイト２６を配置すると、位置決め凸部２９と位置決め凹部３１との係合により、ロワーカウンタウエイト２５とアッパーカウンタウエイト２６との間の位置決めが簡単に行われるから、取付作業が簡単になる。
【００３２】
また、ボルト３３を垂直方向に挿入させて、ロワーカウンタウエイト２５とアッパーカウンタウエイト２６との間を固定できるから、さらに取付作業が簡単になる。
【００３３】
さらに、アッパーカウンタウエイト２６の脱着に関わりなく、走行用ライト３０をロワーカウンタウエイト２５に装着したままの状態で使用できるから、走行用ライト３０の結線や付け替えの必要もなく、また漏電の心配もない等、作業性の向上および安全性の向上が図れる。
【００３４】
なお、本発明は、本発明の精神を逸脱しない限り種々の改変を為すことができ、そして、本発明が該改変されたものに及ぶことは当然である。
【図面の簡単な説明】
【００３５】
【図１】本発明の一実施の形態として示すホイール式マテハン機の側面図。
【図２】同上ホイール式マテハン機の上部旋回体の後部構造を示す背面図。
【図３】図２のＡ−Ａ線に沿う断面図。
【図４】従来のカウンタウエイトの一例を示す断面図。
【符号の説明】
【００３６】
１１  ホイール式マテハン機
１２  駆動輪
１３  下部走行体
１４  旋回機構
１５  上部旋回体
２４  カウンタウエイト
２５  ロワーカウンタウエイト
２６  アッパーカウンタウエイト
２７  ボルト
２８  取付孔
２９  位置決め凸部
３０  走行用ライト
３１  位置決め凹部
３２  取付孔
３３  ボルト
３４  ナット
【図１】
2006188817.tif 000003
【図２】
2006188817.tif 000004
【図３】
2006188817.tif 000005
【図４】
2006188817.tif 000006